(57)【要約】【課題】  製造コストの高騰を来たすことなく開閉蓋及びハンドルの傷付き及び損傷を防止する。【解決手段】  収容空間を有する本体と、本体に回動自在に支持され収容空間を開放する開放位置と収容空間を閉塞する閉塞位置との間で回動可能な開閉蓋と、開閉蓋の外側において本体に回動自在に支持され非使用の位置である非使用位置と持ち手として用いられる使用位置との間で回動可能なハンドルとを備え、開閉蓋に少なくとも一方の側面から側方へ突出された規制突部が設けられ、開閉蓋が開放位置にある状態においてハンドルの非使用位置から使用位置へ向けての所定量以上の回動が規制突部によって規制されるようにした。【選択図】        図７
2013145620.tif 000002
【特許請求の範囲】
【請求項１】
収容空間を有する本体と、
前記本体に回動自在に支持され前記収容空間を開放する開放位置と前記収容空間を閉塞する閉塞位置との間で回動可能な開閉蓋と、
前記開閉蓋の外側において前記本体に回動自在に支持され非使用の位置である非使用位置と持ち手として用いられる使用位置との間で回動可能なハンドルとを備え、
前記開閉蓋に少なくとも一方の側面から側方へ突出された規制突部が設けられ、
前記開閉蓋が前記開放位置にある状態において前記ハンドルの前記非使用位置から前記使用位置へ向けての所定量以上の回動が前記規制突部によって規制されるようにした
電子機器。
【請求項２】
前記開閉蓋に前記開閉蓋の両側面からそれぞれ側方へ突出された一対の前記規制突部が設けられた
請求項１に記載の電子機器。
【請求項３】
前記規制突部が前記開閉蓋の前記本体に対する回動支点の近傍に位置された
請求項１に記載の電子機器。
【請求項４】
前記開閉蓋に剛性を高めるための補強リブが設けられ、
前記規制突部が前記補強リブに一体に形成された
請求項１に記載の電子機器。
【請求項５】
前記本体に前記開閉蓋を前記閉塞位置においてロックするロック部が設けられ、
前記開閉蓋が前記閉塞位置において所定の方向へ押圧されて移動されることにより前記ロック部によるロックが解除され、
前記ハンドルに、前記ハンドルが使用位置にある状態において前記開閉蓋が前記所定の方向へ押圧されたときの前記開閉蓋の移動を規制する移動規制部が設けられた
請求項１に記載の電子機器。
【請求項６】
前記開閉蓋の前記閉塞位置から前記開放位置への回動方向と前記ハンドルの前記非使用位置から前記使用位置への回動方向とが反対方向にされた
請求項１に記載の電子機器。
【請求項７】
前記本体に、前記非使用位置において前記ハンドルを収納する収納凹部が形成された
請求項１に記載の電子機器。
【発明の詳細な説明】
【技術分野】
【０００１】
本技術は電子機器についての技術分野に関する。詳しくは、開閉蓋に規制突部を設けて開閉蓋が開放位置にある状態におけるハンドルの回動を規制して製造コストの高騰を来たすことなく開閉蓋及びハンドルの傷付き及び損傷を防止する技術分野に関する。
【背景技術】
【０００２】
電子機器には本体に形成された収容空間を開閉する回動可能な開閉蓋が設けられると共に持ち手となるハンドルが回動可能な状態で設けられたものがある。
【０００３】
電子機器としては、例えば、ディスク状記録媒体、テープ状記録媒体、メモリーカード等の各種の情報記録媒体が収容される収容空間が形成され、収容空間に配置された記録再生部に情報記録媒体が装着される記録再生装置がある。記録再生装置においては、記録再生部に装着された情報記録媒体に記録された音声データーや画像データーが再生され、又は、記録再生部に装着された情報記録媒体に音声データーや画像データーが記録される。
【０００４】
このような電子機器にあっては、一般に、開閉蓋とハンドルがともに本体の上面側において回動可能とされている（例えば、特許文献１及び特許文献２参照）。開閉蓋は収容空間を開放する開放位置と収容空間を閉塞する閉塞位置との間で回動可能とされ、ハンドルは非使用の位置である非使用位置と持ち手として用いられる使用位置との間で回動可能とされている。
【０００５】
電子機器において、情報記録媒体に対するデーターの再生や記録を行うときには、開閉蓋を閉塞位置から開放位置まで回動させて収容空間を開放して情報記録媒体を記録再生部に装着し、開閉蓋を開放位置から閉塞位置まで回動させて収容空間を閉塞する。
【０００６】
一方、ハンドルを非使用位置から使用位置まで回動させて持ち上げて把持することにより電子機器を持ち運び、所望の場所で情報記録媒体に対するデーターの記録再生を行うことが可能である。
【０００７】
上記のような電子機器にあっては、開閉蓋とハンドルが互いに独立して回動可能とされているため、開閉蓋の回動位置に拘わらずハンドルを回動させることが可能とされている。従って、開閉蓋が開放位置にある状態においてハンドルを非使用位置から使用位置へ向けて回動させることが可能である。
【０００８】
しかしながら、電子機器においては、開閉蓋が略台形状に形成されたり開閉蓋の両側面の形状が曲線状に形成されると共に開閉蓋の直ぐ外側にハンドルが位置されている場合には、開閉蓋が開放位置にある状態においてハンドルを非使用位置から使用位置へ向けて回動させたときに開閉蓋の両側面がハンドルに接触してしまう。
【０００９】
このような開閉蓋の両側面とハンドルの接触が生じてしまうと、開閉蓋の両側面やハンドルが傷付いたり損傷するおそれがある。
【００１０】
そこで、特許文献１及び特許文献２に記載された電子機器にあっては、本体の内部に切替レバーやスライド部材等を有する動作規制機構を配置して開閉蓋とハンドルの接触を回避するようにしている。
【００１１】
【特許文献１】特開２００３−２１７２７４号公報
【特許文献２】実開平４−１２１０９５号公報
【発明の開示】
【発明が解決しようとする課題】
【００１２】
ところが、特許文献１及び特許文献２に記載された電子機器にあっては、本体の内部に配置された動作規制機構が切替レバーやスライド部材等の複数の部材によって構成され、部品点数が多く機構も複雑であり、その分、製造コストが高騰してしまう。
【００１３】
また、特許文献１及び特許文献２に記載された電子機器にあっては、ハンドルが使用位置に回動された状態において開閉蓋の回動を規制することができるが、開閉蓋が開放位置にある状態においてハンドルが非使用位置から使用位置へ向けて回動が可能である。
【００１４】
従って、開閉蓋が開放位置にある状態においてハンドルが非使用位置から使用位置へ向けて回動されてしまうと、開閉蓋の両側面とハンドルが接触されて開閉蓋の両側面やハンドルが傷付いたり損傷するおそれがある。
【００１５】
そこで、本技術電子機器は、上記した問題点を克服し、製造コストの高騰を来たすことなく開閉蓋及びハンドルの傷付き及び損傷を防止することを課題とする。
【課題を解決するための手段】
【００１６】
第１に、電子機器は、上記した課題を解決するために、収容空間を有する本体と、前記本体に回動自在に支持され前記収容空間を開放する開放位置と前記収容空間を閉塞する閉塞位置との間で回動可能な開閉蓋と、前記開閉蓋の外側において前記本体に回動自在に支持され非使用の位置である非使用位置と持ち手として用いられる使用位置との間で回動可能なハンドルとを備え、前記開閉蓋に少なくとも一方の側面から側方へ突出された規制突部が設けられ、前記開閉蓋が前記開放位置にある状態において前記ハンドルの前記非使用位置から前記使用位置へ向けての所定量以上の回動が前記規制突部によって規制されるようにしたものである。
【００１７】
従って、電子機器にあっては、開閉蓋が開放位置にある状態においてハンドルが非使用位置から使用位置へ向けて回動されたときに、ハンドルが規制突部に接してハンドルの回動が規制される。
【００１８】
第２に、上記した電子機器においては、前記開閉蓋に前記開閉蓋の両側面からそれぞれ側方へ突出された一対の前記規制突部が設けられることが望ましい。
【００１９】
開閉蓋に開閉蓋の両側面からそれぞれ側方へ突出された一対の規制突部が設けられることにより、開閉蓋とハンドルの加工精度やガタツキ等により開閉蓋とハンドルの間の位置精度が低い場合においても、少なくとも一方の規制突部にハンドルが接触し易い。
【００２０】
第３に、上記した電子機器においては、前記規制突部が前記開閉蓋の前記本体に対する回動支点の近傍に位置されることが望ましい。
【００２１】
規制突部が開閉蓋の本体に対する回動支点の近傍に位置されることにより、回動量が小さい状態でハンドルの回動が規制される。
【００２２】
第４に、上記した電子機器においては、前記開閉蓋に剛性を高めるための補強リブが設けられ、前記規制突部が前記補強リブに一体に形成されることが望ましい。
【００２３】
開閉蓋に剛性を高めるための補強リブが設けられ、規制突部が補強リブに一体に形成されることにより、別体の規制リブを開閉蓋に設ける必要がない。
【００２４】
第５に、上記した電子機器においては、前記本体に前記開閉蓋を前記閉塞位置においてロックするロック部が設けられ、前記開閉蓋が前記閉塞位置において所定の方向へ押圧されて移動されることにより前記ロック部によるロックが解除され、前記ハンドルに、前記ハンドルが使用位置にある状態において前記開閉蓋が前記所定の方向へ押圧されたときの前記開閉蓋の移動を規制する移動規制部が設けられることが望ましい。
【００２５】
ハンドルに、ハンドルが使用位置にある状態において開閉蓋が所定の方向へ押圧されたときの開閉蓋の移動を規制する移動規制部が設けられることにより、ハンドルが使用位置にある状態において開閉蓋が回動されない。
【００２６】
第６に、上記した電子機器においては、前記開閉蓋の前記閉塞位置から前記開放位置への回動方向と前記ハンドルの前記非使用位置から前記使用位置への回動方向とが反対方向にされることが望ましい。
【００２７】
開閉蓋の閉塞位置から開放位置への回動方向とハンドルの非使用位置から使用位置への回動方向とが反対方向にされることにより、ハンドルが規制突部によって回動が規制されるまでに一定量回動されてもハンドルが収容空間を塞ぐように位置されない。
【００２８】
第７に、上記した電子機器においては、前記本体に、前記非使用位置において前記ハンドルを収納する収納凹部が形成されることが望ましい。
【００２９】
本体に、非使用位置においてハンドルを収納する収納凹部が形成されることにより、使用者がハンドルに誤って触れることが少ない。
【発明の効果】
【００３０】
本技術電子機器は、収容空間を有する本体と、前記本体に回動自在に支持され前記収容空間を開放する開放位置と前記収容空間を閉塞する閉塞位置との間で回動可能な開閉蓋と、前記開閉蓋の外側において前記本体に回動自在に支持され非使用の位置である非使用位置と持ち手として用いられる使用位置との間で回動可能なハンドルとを備え、前記開閉蓋に少なくとも一方の側面から側方へ突出された規制突部が設けられ、前記開閉蓋が前記開放位置にある状態において前記ハンドルの前記非使用位置から前記使用位置へ向けての所定量以上の回動が前記規制突部によって規制されるようにしている。
【００３１】
従って、簡素な構造によりハンドルの非使用位置から使用位置へ向けての所定量以上の回動が規制され、製造コストの高騰を来たすことなく開閉蓋及びハンドルの傷付き及び損傷を防止することができる。
【００３２】
請求項２に記載した技術にあっては、前記開閉蓋に前記開閉蓋の両側面からそれぞれ側方へ突出された一対の前記規制突部が設けられている。
【００３３】
従って、少なくとも一方の規制突部にハンドルが接触するため、ハンドルの回動を確実に規制することができる。
【００３４】
請求項３に記載した技術にあっては、前記規制突部が前記開閉蓋の前記本体に対する回動支点の近傍に位置されている。
【００３５】
従って、回動量が小さい状態でハンドルの回動が規制され、開閉蓋とハンドルの接触が確実に回避され、開閉蓋及びハンドルの傷付き及び損傷を防止することができる。
【００３６】
請求項４に記載した技術にあっては、前記開閉蓋に剛性を高めるための補強リブが設けられ、前記規制突部が前記補強リブに一体に形成されている。
【００３７】
従って、電子機器の製造が容易であると共に部品点数の削減を図ることができる。
【００３８】
請求項５に記載した技術にあっては、前記本体に前記開閉蓋を前記閉塞位置においてロックするロック部が設けられ、前記開閉蓋が前記閉塞位置において所定の方向へ押圧されて移動されることにより前記ロック部によるロックが解除され、前記ハンドルに、前記ハンドルが使用位置にある状態において前記開閉蓋が前記所定の方向へ押圧されたときの前記開閉蓋の移動を規制する移動規制部が設けられている。
【００３９】
従って、ハンドルが使用位置にあるときにハンドルに開閉蓋が接触することがなく、開閉蓋及びハンドルの傷付き及び損傷を防止することができる。
【００４０】
請求項６に記載した技術にあっては、前記開閉蓋の前記閉塞位置から前記開放位置への回動方向と前記ハンドルの前記非使用位置から前記使用位置への回動方向とが反対方向にされている。
【００４１】
従って、開閉蓋が開放されている状態において、ハンドルが規制突部によって回動が規制されるまでに一定量回動されてもハンドルが収容空間を塞ぐように位置されることがなく、収容空間に対する所定物の挿入及び取出を円滑に行うことができる。
【００４２】
請求項７に記載した技術にあっては、前記本体に、前記非使用位置において前記ハンドルを収納する収納凹部が形成されている。
【００４３】
従って、使用者がハンドルに誤って触れることが少なく、本体に対するハンドルの不必要な回動を防止することができると共にハンドルが本体から突出されず電子機器の小型化を図ることができる。
【発明を実施するための最良の形態】
【００４４】
以下に、本技術電子機器を実施するための最良の形態を添付図面に従って説明する。
【００４５】
以下に示した最良の形態は、本技術電子機器をディスク状記録媒体に対する情報信号の記録又は再生を行うディスク記録再生装置に適用したものである。
【００４６】
尚、本技術の適用範囲はディスク記録再生装置に限られることはなく、開閉蓋とハンドルを備え開閉蓋とハンドルが本体にそれぞれ回動自在に支持された各種の電子機器に広く適用することができる。例えば、本技術はテープ状記録媒体やメモリーカード等の情報記録媒体に対する情報信号の記録又は再生を行う記録再生装置、炊飯器、湯沸かし器（ポット）等の開閉蓋とハンドルを有する各種の電子機器に広く適用することができる。
【００４７】
以下の説明においては、電子機器の開閉蓋が配置された面を上面として上下前後左右の方向を示す。
【００４８】
尚、以下に示す上下前後左右の方向は、説明の便宜上示すものであり、本技術はこれらの方向に限定して適用されることはない。
【００４９】
［電子機器の構成］
電子機器１は本体２と開閉蓋３とハンドル４によって構成されている（図１乃至図４参照）。
【００５０】
本体２は稍横長の筐体５の内外に所要の各部が配置されて成る。
【００５１】
本体２の前面にはパネル部６が設けられている。パネル部６には電源釦、再生釦、録音釦等の各種の操作釦７、７、・・・とイヤホーンやヘッドホーン等が接続される接続ジャック８が配置されている。
【００５２】
本体２の前面にはパネル部６の周囲にグリルネット９が設けられている。本体２の内部にはグリルネット９の後側に図示しないスピーカー部が左右に離隔して配置されている。
【００５３】
本体２の上面部には上方に開口された収容空間２ａが形成されている。収容空間２ａは略矩形状に形成されている。本体２の上面部には収納凹部２ｂが形成されている。収納凹部２ｂは収容空間２ａの外周側において収容空間２ａに隣接して形成されている。収納凹部２ｂは収容空間２ａの後側と左右両側に位置され、前方に開口されたコ字状に形成されている。
【００５４】
本体２の収容空間２ａにはベースユニット１０が配置されている（図３及び図４参照）。ベースユニット１０は支持ベース１０ａと支持ベース１０ａに移動自在に支持された光ピックアップ１０ｂと支持ベース１０ａに回転自在に支持されたディスクテーブル１０ｃとを有している。ディスクテーブル１０ｃには図示しない吸着用マグネットが設けられている。
【００５５】
本体２には収容空間２ａにロック部１１が設けられている。ロック部１１は収容空間２ａにおける前方側の一方の角部に設けられている。
【００５６】
本体２の上面部における後端寄りの位置には連通部１２、１２が左右に離隔して設けられている。連通部１２、１２はそれぞれ上下に延びる筒状に形成され、連通部１２、１２によってそれぞれ本体２の内部空間と収納空間２ａが連通されている。
【００５７】
開閉蓋３は略板状の蓋部１３と蓋部１３の後端部における左右両端部からそれぞれ下方へ突出されたアーム部１４、１５とを有している。
【００５８】
蓋部１３は左右両側の側面１３ａ、１３ａが外方へ凸の緩やかな曲線状に形成されている。蓋部１３の一方の側部には下方に開口された切欠部１３ｂが形成されている。蓋部１３の前端部の上面における一方の角部は押圧部１３ｃとして設けられ、蓋部１３の内面側には押圧部１３ｃの反対側に係合突部１３ｄが設けられている。
【００５９】
蓋部１３の内面側には複数の図示しない補強リブが設けられ、補強リブの一つが一方の側面１３ａから外方（側方）へ突出されて規制突部１６として設けられている。規制突部１６は開閉蓋３の後述する回動支点の近傍に位置され、側面１３ａからの側方への突出量が、例えば、約１ｍｍにされている。
【００６０】
このように電子機器１にあっては、開閉蓋３の補強リブに規制突部１６が一体に形成されているため、電子機器１の製造が容易であると共に部品点数の削減を図ることができる。
【００６１】
アーム部１４、１５は左右方向を向く板状の略扇状に形成されている。アーム部１４、１５は少なくとも一部がそれぞれ連通部１２、１２の内部に位置されている。アーム部１５の周面にはギヤ部１５ａが形成され、ギヤ部１５ａが本体２の内部に配置されたダンパーギヤ１７と噛合されている（図５参照）。
【００６２】
開閉蓋３はアーム部１４、１５の後端部に設けられた回動支点３ａを基準として本体２に対して回動される。このとき開閉蓋３はダンパーギヤ１７の作用により低速で回動される。開閉蓋３は収容空間２ａを閉塞する閉塞位置（図１及び図２参照）と収容空間２ａを開放する開放位置（図３及び図４参照）との間で回動される。開放位置における蓋部１３の水平面に対する角度は、例えば、４５°〜６０°にされている。
【００６３】
開閉蓋３の蓋部１３の内面側には円板状のチャッキングプレート１８が回転自在に支持されている。チャキングプレート１８はその回転軸の軸方向へ蓋部１３に対して僅かに移動可能とされている。
【００６４】
ハンドル４は略左右方向に延びる把持部１９と把持部１９の左右両端部からそれぞれ直交する同じ方向へ突出された連結部２０、２０とから成る（図１乃至図４参照）。
【００６５】
連結部２０、２０は内側の側面２０ａ、２０ａがそれぞれ蓋部１３の側面１３ａ、１３ａに沿うように側方へ凹の緩やかな曲線状に形成されている。一方の連結部２０には内方へ突出された移動規制部２０ｂが設けられている（図５参照）。
【００６６】
ハンドル４は連結部２０、２０の前端部を支点としてハンドル２に対して開閉蓋３の外側において回動される。ハンドル４は持ち手として使用されない非使用の位置である非使用位置（図１、図３及び図４参照）と持ち手として用いられる使用位置（図２参照）との間で回動される。
【００６７】
ハンドル４が不使用位置にあり開閉蓋３が閉塞位置にある状態においては、図１に示すように、開閉蓋３及びハンドル４がともに水平な状態にされており、ハンドル４が開閉蓋３の外周に隣接して位置されている。
【００６８】
このとき開閉蓋３は係合突部１３ｄがロック部１１に係合されて閉塞位置においてロックされている。
【００６９】
不使用位置においては、ハンドル４は全体が本体２に形成された収納凹部２ｂに挿入されて収納されている。
【００７０】
従って、使用者がハンドル４に誤って触れることが少なく、本体２に対するハンドル４の不必要な回動を防止することができると共にハンドル４が本体２から突出されず電子機器１の小型化を図ることができる。
【００７１】
開閉蓋３は押圧部１３ｃが下方へ押圧されることによりロック部１１による閉塞位置におけるロックが解除され、ロックが解除されると開閉蓋３は図示しない付勢バネの付勢力によって開放位置まで回動される。開閉蓋３は開放位置において図示しないストッパーによって回動が規制されて保持される。
【００７２】
開放位置においては収容空間２ａにディスク記録媒体１００が挿入されてディスクテーブル１０ｃに装着される（図４参照）。
【００７３】
開閉蓋３は開放位置において下方へ押圧されることにより、閉塞位置へ向けて回動され係合突部１３ｄがロック部１１に係合されて再び閉塞位置においてロックされる。
【００７４】
開閉蓋３が閉塞位置まで回動されると、チャッキングプレート１８が吸着用マグネットに吸着されてディスクテーブル１０ｃとチャッキングプレート１８によってディスク状記録媒体１００が挟持される。従って、ディスク状記録媒体１００はディスクテーブル１０ｃの回転に伴ってチャッキングプレート１８と一体になって回転可能とされ、ディスク状記録媒体１００の回転時に光ピックアップ１０ｂの駆動によりディスク状記録媒体１００に対する情報信号の記録又は再生が行われる。
【００７５】
［電子機器におけるハンドルの回動動作］
以下に、電子機器１におけるハンドル４の回動動作について説明する（図１、図２、図６及び図７参照）。
【００７６】
ハンドル４が不使用位置にあり開閉蓋３が閉塞位置にある状態においては、開閉蓋３及びハンドル４がともに水平な状態にされており、ハンドル４が開閉蓋３の外周に隣接して位置されている（図１参照）。
【００７７】
このとき開閉蓋３の側面１３ａ、１３ａとハンドル４の連結部２０、２０の側面２０ａ、２０ａとの間隔は規制突部１６の側面１３ａからの側方への突出量より大きく、例えば、１．３ｍｍ〜１．４ｍｍにされており、ハンドル４を非使用位置から使用位置まで回動することができる（図２参照）。
【００７８】
一方、開閉蓋３が開放位置にある状態において、ハンドル４を不使用位置から使用位置へ向けて回動させていくと、開閉蓋３の側面１３ａ、１３ａとハンドル４の側面２０ａ、２０ａが曲線状に形成されているため、側面２０ａ、２０ａが側面１３ａ、１３ａに近付いていく。
【００７９】
従って、側面１３ａ、１３ａと側面２０ａ、２０ａとの間隔が小さくなっていき、側面１３ａ、１３ａと側面２０ａ、２０ａが接触する前に連結部２０が規制突部１６に係合されてハンドル４の回動が規制される（図７参照）。
【００８０】
［電子機器における開閉蓋の回動動作］
以下に、電子機器１における開閉蓋３の回動動作について説明する（図８乃至図１０参照）。
【００８１】
ハンドル４が不使用位置にあり開閉蓋３が閉塞位置にある状態においては、ハンドル４の移動規制部２０ｂが開閉蓋３の切欠部１３ｂの下側に位置されている（図８参照）。従って、開閉蓋３の押圧部１３ｃが下方へ押圧されても蓋部１３が移動規制部２０ｂに接触されず、開閉蓋３が下方側へ僅かに移動される（図９参照）。開閉蓋３が下方側へ僅かに移動されると、ロック部１１と係合突部１３ｄの係合が解除され、ロック部１０による開閉蓋３の閉塞位置におけるロックが解除される。開閉蓋３は付勢バネの付勢力によって開放位置まで回動される。
【００８２】
一方、ハンドル４が使用位置にあり開閉蓋３が閉塞位置にある状態においては、ハンドル４の移動規制部２０ｂが開閉蓋３の側面１３ａの下面に接触している（図１０参照）。従って、開閉蓋３の押圧部１３ｃが下方へ押圧されても開閉蓋３の下方側への移動が移動規制部２０ｂによって規制され、ロック部１０による開閉蓋３の閉塞位置におけるロックが解除されない。
【００８３】
このように、電子機器１にあっては、ハンドル４が使用位置にある状態において開閉蓋３への下方側への移動を規制して開閉蓋３の閉塞位置から開放位置へ向けての回動を規制する移動規制部２０ｂがハンドル４に設けられている。
【００８４】
従って、ハンドル４が使用位置にある状態において開閉蓋３が回動されることがなく、開閉蓋３の意図しない回動動作が行われないようにして誤操作を防止することができる。
【００８５】
また、ハンドル４が使用位置にある状態において移動規制部２０ｂの作用によって開閉蓋３が回動されないため、ハンドル４が使用位置にあるときに連結部２０、２０に開閉蓋３の側面１３ａ、１３ａが接触することがなく、開閉蓋３及びハンドル４の傷付き及び損傷を防止することができる。
【００８６】
［まとめ］
以上に記載した通り、電子機器１にあっては、開閉蓋３に側面１３ａから側方へ突出された規制突部１６が設けられ、開閉蓋３が開放位置にある状態においてハンドル４の非使用位置から使用位置へ向けての所定量以上の回動が規制突部１６によって規制される。
【００８７】
従って、簡素な構造によりハンドル４の非使用位置から使用位置へ向けての所定量以上の回動が規制され、製造コストの高騰を来たすことなく開閉蓋３及びハンドル４の傷付き及び損傷を防止することができる。
【００８８】
また、規制突部１６が開閉蓋３の回動支点３ａの近傍に位置されているため、回動量が小さい状態でハンドル４の回動が規制され、開閉蓋３とハンドル４の接触が確実に回避され、開閉蓋３及びハンドル４の傷付き及び損傷を防止することができる。
【００８９】
さらに、電子機器１にあっては、開閉蓋３の閉塞位置から開放位置への回動方向とハンドル４の非使用位置から使用位置への回動方向とが反対方向にされている。
【００９０】
従って、開閉蓋３が開放されている状態において、ハンドル４が規制突部１６によって回動が規制されるまでに一定量回動されてもハンドル４の把持部１９が収容空間２ａを塞ぐように位置されることがなく、収容空間２ａに対するディスク状記録媒体１００の挿入及び取出を円滑に行うことができる。
【００９１】
尚、上記には、開閉蓋３の一方の側面から突出された一つの規制突部１６が設けられた例を示したが、電子機器１にあっては、開閉蓋３の両側面からそれぞれ外方へ突出された一対の規制突部１６、１６が設けられていてもよい。
【００９２】
このように一対の規制突部１６、１６が設けられている場合には、開閉蓋３とハンドル４の加工精度やガタツキ等により開閉蓋３とハンドル４の間の位置精度が低い場合においても、少なくとも一方の規制突部１６にハンドル４が接触するため、ハンドル４の回動を確実に規制することができる。
【００９３】
［その他］
上記には、本技術を電子機器としてディスク記録再生装置に適用した例を示した、本技術の適用範囲は開閉蓋とハンドルを備え開閉蓋とハンドルが本体にそれぞれ回動自在に支持された各種の用品にも広く適用することが可能である。
【００９４】
例えば、ゴミ箱等のダストケースや持ち運び可能な収容器等の日用品にも適用することが可能である。
【００９５】
［本技術］
本技術は、以下のような構成にすることができる。
【００９６】
（１）収容空間を有する本体と、前記本体に回動自在に支持され前記収容空間を開放する開放位置と前記収容空間を閉塞する閉塞位置との間で回動可能な開閉蓋と、前記開閉蓋の外側において前記本体に回動自在に支持され非使用の位置である非使用位置と持ち手として用いられる使用位置との間で回動可能なハンドルとを備え、前記開閉蓋に少なくとも一方の側面から側方へ突出された規制突部が設けられ、前記開閉蓋が前記開放位置にある状態において前記ハンドルの前記非使用位置から前記使用位置へ向けての所定量以上の回動が前記規制突部によって規制されるようにした電子機器。
【００９７】
（２）前記開閉蓋に前記開閉蓋の両側面からそれぞれ側方へ突出された一対の前記規制突部が設けられた前記（１）に記載の電子機器。
【００９８】
（３）前記規制突部が前記開閉蓋の前記本体に対する回動支点の近傍に位置された前記（１）又は前記（２）に記載の電子機器。
【００９９】
（４）前記開閉蓋に剛性を高めるための補強リブが設けられ、前記規制突部が前記補強リブに一体に形成された前記（１）から前記（３）の何れかに記載の電子機器。
【０１００】
（５）前記本体に前記開閉蓋を前記閉塞位置においてロックするロック部が設けられ、前記開閉蓋が前記閉塞位置において所定の方向へ押圧されて移動されることにより前記ロック部によるロックが解除され、前記ハンドルに、前記ハンドルが使用位置にある状態において前記開閉蓋が前記所定の方向へ押圧されたときの前記開閉蓋の移動を規制する移動規制部が設けられた前記（１）から前記（４）の何れかに記載の電子機器。
【０１０１】
（６）前記開閉蓋の前記閉塞位置から前記開放位置への回動方向と前記ハンドルの前記非使用位置から前記使用位置への回動方向とが反対方向にされた前記（１）から前記（５）の何れかに記載の電子機器。
【０１０２】
（７）前記本体に、前記非使用位置において前記ハンドルを収納する収納凹部が形成された前記（１）から前記（６）の何れかに記載の電子機器。
【０１０３】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１０４】
【図１】図２乃至図１０と共に本技術電子機器の実施の形態を示すものであり、本図は、開閉蓋が閉塞位置にありハンドルが非使用位置にある状態を示す斜視図である。
【図２】開閉蓋が閉塞位置にありハンドルが使用位置にある状態を示す斜視図である。
【図３】開閉蓋が開放位置にありハンドルが非使用位置にある状態を示す斜視図である。
【図４】開閉蓋が開放位置にありハンドルが非使用位置にある状態を図３とは異なる方向から見た状態で示す斜視図である。
【図５】概略断面図である。
【図６】開閉蓋が開放位置にありハンドルが非使用位置にある状態を示す概略拡大断面図である。
【図７】開閉蓋が開放位置にあるときにハンドルの回動が規制突部によって規制された状態を示す概略拡大断面図である。
【図８】開閉蓋が閉塞位置にありハンドルが非使用位置にある状態を示す概略拡大断面図である。
【図９】開閉蓋が開放位置にありハンドルが非使用位置にある状態において開閉蓋が下方へ押圧されてロックが解除されるときの状態を示す概略拡大断面図である。
【図１０】開閉蓋が開放位置にありハンドルが使用位置にある状態において開閉蓋が下方へ押圧されたときに開閉蓋の回動が規制された状態を示す概略拡大断面図である。
【符号の説明】
【０１０５】
１…電子機器、２…本体、２ａ…収容空間、２ｂ…収納凹部、３…開閉蓋、３ａ…回動支点、４…ハンドル、１１…ロック部、１６…規制突部、２０ｂ…移動規制部
【図１】
2013145620.tif 000003
【図２】
2013145620.tif 000004
【図３】
2013145620.tif 000005
【図４】
2013145620.tif 000006
【図５】
2013145620.tif 000007
【図６】
2013145620.tif 000008
【図７】
2013145620.tif 000009
【図８】
2013145620.tif 000010
【図９】
2013145620.tif 000011
【図１０】
2013145620.tif 000012